(57)【要約】【課題】既設枠や躯体の形状にかかわらず新設枠を容易に取り付け可能であるとともに、躯体への固定を極力少なくすることができる改装用サッシおよび改装用サッシの施工方法を提供する。【解決手段】室内と室外とを仕切る壁部１１の開口部１２に取り付けられた既設枠２の内周側に設けられる新設枠４を有する改装用サッシ１において、既設枠２に固定されるとともに新設枠４が固定されるアタッチメント５を有し、アタッチメント５は、既設枠２に固定可能な形状に調整可能である。【選択図】図２
2018025052.tif 000002
【特許請求の範囲】
【請求項１】
室内と室外とを仕切る壁部の開口部に取り付けられた既設枠の内周側に設けられる新設枠を有する改装用サッシにおいて、
前記既設枠に固定されるとともに前記新設枠が固定されるアタッチメントを有し、
前記アタッチメントは、前記既設枠に固定可能な形状に調整可能であることを特徴とする改装用サッシ。
【請求項２】
前記アタッチメントは、前記既設枠に室内側から固定可能に構成され、
前記新設枠は、前記アタッチメントに室内側から固定可能に構成されている請求項１に記載の改装用サッシ。
【請求項３】
前記アタッチメントは、前記既設枠の下枠に対する高さ方向の位置を調整可能である請求項１又は２に記載の改装用サッシ。
【請求項４】
前記既設枠の室内側には額縁が設けられていて、
前記新設枠と前記額縁との隙間を覆うアングルカバーと、前記アングルカバーを前記額縁に固定するための補助部材と、が設けられている請求項１乃至３のいずれか一項に記載の改装用サッシ。
【請求項５】
前記新設枠は、前記既設枠の室外側の端面と当接する端面当接部材を有し、
前記端面当接部材が前記既設枠の室外側の端面と当接すると前記新設枠が正位置に配置される請求項１乃至４のいずれか一項に記載の改装用サッシ。
【請求項６】
前記既設枠と前記新設枠との隙間を塞ぐ気密材をさらに有し、
前記気密材は、前記新設枠の室内側に設けられている請求項１乃至５のいずれか一項に記載の改装用サッシ。
【請求項７】
室内と室外とを仕切る壁部の開口部に設けられた既設枠に新設枠を取り付ける改装用サッシの施工方法において、
前記既設枠にアタッチメントを固定するアタッチメント固定工程と、
前記アタッチメントに前記新設枠を固定する新設枠固定工程と、を有し、
前記アタッチメント固定工程では、前記アタッチメントの形状を前記既設枠に固定可能な形状に調整して前記既設枠に固定することを特徴とする改装用サッシの施工方法。
【発明の詳細な説明】
【技術分野】
【０００１】
本発明は、改装用サッシおよび改装用サッシの施工方法に関する。
【背景技術】
【０００２】
従来、サッシの改装を行う場合に、改装用サッシ（新設サッシ）の枠（新設枠）を既設サッシの枠（既設枠）や躯体にネジなどの固定具で直接固定している（例えば、特許文献１）。
【先行技術文献】
【特許文献】
【０００３】
【特許文献１】特開２０１４−２３４６７９号公報
【発明の概要】
【発明が解決しようとする課題】
【０００４】
しかしながら、既設枠や躯体の形状によっては、新設枠を既設枠や躯体に直接固定できないことがある。また、既設枠や躯体の形状によっては、新設枠の既設枠や躯体に対する位置決め作業が煩雑になることがある。また、新設枠を躯体に固定することによって躯体を傷つけてしまう虞がある。
【０００５】
そこで、本発明は、既設枠や躯体の形状にかかわらず新設枠を容易に取り付け可能であるとともに、躯体への固定を極力少なくすることができる改装用サッシおよび改装用サッシの施工方法を提供することを目的とする。
【課題を解決するための手段】
【０００６】
上記目的を達成するため、本発明に係る改装用サッシは、室内と室外とを仕切る壁部の開口部に取り付けられた既設枠の内周側に設けられる新設枠を有する改装用サッシにおいて、前記既設枠に固定されるとともに前記新設枠が固定されるアタッチメントを有し、
前記アタッチメントは、前記既設枠に固定可能な形状に調整可能であることを特徴とする。
【０００７】
また、本発明に係る改装用サッシの施工方法では、室内と室外とを仕切る壁部の開口部に設けられた既設枠に新設枠を取り付ける改装用サッシの施工方法において、前記既設枠にアタッチメントを固定するアタッチメント固定工程と、前記アタッチメントに前記新設枠を固定する新設枠固定工程と、を有し、前記アタッチメント固定工程では、前記アタッチメントの形状を前記既設枠に固定可能な形状に調整して前記既設枠に固定することを特徴とする。
【０００８】
本発明では、アタッチメントが既設枠に固定可能な形状に調整可能であることにより、既設枠の形状にかかわらず、アタッチメントを既設枠に固定することができる。そして、本発明では、既設枠に固定されたアタッチメントに新設枠を固定する構成であるため、既設枠や躯体の形状にかかわらずアタッチメントを介して新設枠を既設枠に固定することができる。
また、アタッチメントは既設枠に固定されるため、新設枠を設置するために躯体にビスなどの固定具を挿通させることを少なくすることができる。
【０００９】
また、本発明に係る改装用サッシでは、前記アタッチメントは、前記既設枠に室内側から固定可能で、前記新設枠は、前記アタッチメントに室内側から固定可能であってもよい。
既設枠へのアタッチメントの固定、およびアタッチメントへの新設枠の固定を室内側から行うことが可能であることにより、新設枠の設置を室内側から行うことができる。このため、新設枠を設置する際に室外側から行う作業を少なく、または無くすことができる。
【００１０】
また、本発明に係る改装用サッシでは、前記アタッチメントは、前記既設枠の下枠に対する高さ方向の位置を調整可能であってもよい。
このように構成されていることにより、新設枠の下枠が取り付けられる高さに合せてアタッチメントの高さを調整することで、新設枠の下枠を容易に取り付けることができる。
【００１１】
また、本発明に係る改装用サッシでは、前記既設枠の室内側には額縁が設けられていて、前記新設枠と前記額縁との隙間を覆うアングルカバーと、前記アングルカバーを前記額縁に固定するための補助部材と、が設けられていてもよい。
このような構成とすることにより、補助部材によってアングルカバーを容易に額縁に固定することができる。また、アングルカバーが設けられることにより、室内側からの見栄えを良くすることができる。
【００１２】
また、本発明に係る改装用サッシでは、前記新設枠は、前記既設枠の室外側の端面と当接する端面当接部材を有し、前記端面当接部材が前記既設枠の室外側の端面と当接すると前記新設枠が正位置に配置されていてもよい。
このような構成とすることにより、新設枠の位置決めを容易に行うことができる。例えば、既設枠の室外側の端面が網戸レールの端面である場合は、網戸レールの端面に新設枠を当接させることで新設枠の位置決めを容易に行うことができる。
【００１３】
また、本発明に係る改装用サッシでは、前記既設枠と前記新設枠との隙間を塞ぐ気密材をさらに有し、前記気密材は、前記新設枠の室内側に設けられていてもよい。
このような構成とすることにより、気密材の設置を室内側から行うことができる。
【発明の効果】
【００１４】
本発明によれば、既設枠や躯体の形状にかかわらず新設枠を容易に取り付け可能であるとともに、躯体への固定を極力少なくすることができる。
【図面の簡単な説明】
【００１５】
【図１】本発明の実施形態による改装用サッシの概略を示す分解斜視図である。
【図２】既設上枠、新設上枠および上枠アタッチメントを示す見付け方向に直交する断面図である。
【図３】（ａ）はスペーサの平面図、（ｂ）はスペーサの側面図、（ｃ）は間隔が広い隙間に配置されるスペーサを説明する図、（ｄ）は間隔が狭い隙間に配置されるスペーサを説明する図である。
【図４】新設上枠および新設下枠に設けられるアングルカバーを説明する図である。
【図５】既設下枠、新設下枠および下枠アタッチメントを示す見付け方向に直交する断面図である。
【図６】既設縦枠、新設縦枠および下縦アタッチメントを示す見付け方向に直交する断面図である。
【図７】縦枠に設けられるアングルカバーを説明する図である。
【図８】雨戸やシャッターが設けられている場合の既設縦枠と新設縦枠との間に設けられる部材を説明する図である。
【図９】アングル部がない既設上枠、新設上枠および上枠アタッチメントを示す見付け方向に直交する断面図である。
【図１０】アングル部がない既設下枠、新設下枠および下枠アタッチメントを示す見付け方向に直交する断面図である。
【図１１】アングル部がない既設縦枠、新設縦枠および下縦アタッチメントを示す見付け方向に直交する断面図である。
【発明を実施するための形態】
【００１６】
以下、本発明の実施形態による改装用サッシおよび改装用サッシの施工方法について、図１乃至図８に基づいて説明する。
図１に示す本実施形態による改装用サッシ１は、室内と室外とを仕切る壁部１１の開口部１２に設けられたサッシを改装する際に用いられている。サッシの改装は、既設サッシ１３のサッシ障子（不図示）が撤去され、既設サッシ１３のサッシ枠２（以下、既設枠２とする）は撤去されずに残された状態で行われる。
本実施形態では、既設枠２の室内側に開口部１２の縁部に沿って額縁３が設けられている。
既設枠２は、見付け方向（壁部１１に沿った水平方向）に延在する既設上枠２１および既設下枠２２と、上下方向に延在し既設上枠２１および既設下枠２２それぞれの上端部と下端部との間に配置される一対の既設縦枠２３，２４と、を有している。
【００１７】
新設される改装用サッシ１は、サッシ枠４（以下、新設枠４とする）と、サッシ障子（不図示）と、既設枠２に固定されて新設枠４が固定されるアタッチメント５と、既設枠２と新設枠４との間の気密を行う気密材６と、を有している。
新設枠４は、見付け方向に延在する新設上枠４１および新設下枠４２と、上下方向に延在し新設上枠４１および新設下枠４２それぞれの上端部と下端部との間に配置される一対の新設縦枠４３，４４と、を有している。
【００１８】
アタッチメント５は、既設上枠２１に固定されて新設上枠４１が固定される上枠アタッチメント５１と、既設下枠２２に固定されて新設下枠４２が固定される下枠アタッチメント５２と、一対の既設縦枠２３，２４の一方の既設縦枠２３に固定されて、一対の新設縦枠４３，４４の一方の新設縦枠４３が固定される縦枠アタッチメント５３と、一対の既設縦枠２３，２４の他方の既設縦枠２４に固定されて、一対の新設縦枠４３，４４の他方の新設縦枠４４固定される縦枠アタッチメント５４と、を有している。
【００１９】
気密材６は、既設上枠２１と新設上枠４１との間の気密を行う上枠気密材６１と、既設下枠２２と新設下枠４２との間の気密を行う下枠気密材６２と、既設縦枠２３，２４と新設縦枠４３，４４との間の気密を行う縦枠気密材６３，６４と、を有している。
【００２０】
図２に示すように、既設上枠２１は、開口部１２の上縁部の直下に配置される基部２１１と、基部２１１から上側に突出し開口部１２の上側において壁部１１に室外側から固定される固定部２１２と、基部２１１の室外側の端部から下側に延びる網戸レール２１３と、基部２１１の網戸レール２１３よりも室内側となる位置から下側に延びる室外側レール２１４と、基部２１１の室外側レール２１４よりも室内側となる位置から下側に延びる室内側レール２１５と、基部２１１の室内側の端部に連結されたアングル部２１６と、を有している。
【００２１】
基部２１１は、略平板状に形成され、板面が略水平面となる向きに配置されている。
固定部２１２は、略平板状に形成され、板面が見込み方向（見付け方向に直交する水平方向）を向く鉛直面となる向きに配置されている。
網戸レール２１３は、既設サッシの網戸（不図示）を支持していた部材である。室外側レール２１４は、既設サッシの室外側サッシ障子（不図示）を支持していた部材である。室内側レール２１５は、既設サッシの室内側サッシ障子（不図示）を支持していた部材である。これらの網戸レール２１３、室外側レール２１４および室内側レール２１５は、それぞれ略平板状に形成され、板面が見込み方向を向く略鉛直面となる向きに配置されている。
【００２２】
アングル部２１６は、基部２１１の室内側の縁部から下側に延びる第１アングル部２１７と、第１アングル部２１７の下縁部から室内側に延びる第２アングル部２１８と、を有している。第１アングル部２１７は、額縁３の室外側の端面と当接またはわずかな隙間をあけて対向している。第２アングル部２１８は、額縁３の下面の室外側の端部近傍と当接またはわずかな隙間をあけて対向をしている。
【００２３】
新設上枠４１は、既設上枠２１に固定された上枠アタッチメント５１の直下に配置される基部４１１と、基部４１１の室外側の端部から上側に突出する既設網戸レール当接部４１２と、基部４１１の室外側の端部から下側に突出する網戸レール４１３と、基部４１１の網戸レール４１３よりも室内側に向かった位置から下側に延びる室外側レール４１４と、基部４１１の室外側レール４１４よりも室内側に向かった位置で、かつ基部４１１の室内側の端部よりも室外側に向かった位置から下側に延びる室内側レール４１５と、基部４１１の室内側の端部から上側および下側に延びる樹脂カバー支持部４１６と、室内側レール４１５および樹脂カバー支持部４１６に係止される樹脂カバー４１７と、を有している。
【００２４】
基部４１１は、略平板状に形成され、板面が略水平面となる向きに配置されている。
既設網戸レール当接部４１２は、略平板状に形成され、板面が見込み方向を向く略鉛直面となる向きに配置される平板部４１２ａと、平板部４１２ａの上端部から室内側に突出する第１突出部４１２ｂと、平板部４１２ａの高さ方向の中間部から室内側に突出する第２突出部４１２ｃと、第２突出部４１２ｃの下側に設けられた気密材支持部４１２ｄと、第１突出部４１２ｂの下側に配置された上側気密材４１２ｅと、気密材支持部４１２ｄに支持された下側気密材４１２ｆと、を有している。
【００２５】
既設網戸レール当接部４１２は、新設上枠４１が上枠アタッチメント５１を介して既設上枠２１に固定されると、第１突出部４１２ｂおよび第２突出部４１２ｃそれぞれの先端部が既設上枠２１の網戸レール２１３の室外側の面と当接するように構成されている。このとき、上側気密材４１２ｅは、既設上枠２１の網戸レール２１３の上部側と当接し、下側気密材４１２ｆが既設上枠２１の網戸レール２１３の下端部と当接するように構成されている。上側気密材４１２ｅおよび下側気密材４１２ｆは、見付け方向に延在していて、見付け方向の両端部が、新設縦枠４３，４４の基部４３１（図６参照）に当接している。
【００２６】
網戸レール４１３は、新設サッシの網戸（不図示）を支持する部材である。室外側レール４１４は、既設サッシの室外側サッシ障子（不図示）を支持する部材である。室内側レール４１５は、既設サッシの室内側サッシ障子（不図示）を支持する部材である。これらの網戸レール４１３、室外側レール４１４および室内側レール４１５は、それぞれ略平板状に形成され、板面が見込み方向を向く略鉛直面となる向きに配置されている。
【００２７】
樹脂カバー支持部４１６は、略平板状に形成され、板面が見込み方向を向く略鉛直面となる向きに配置されている。
樹脂カバー４１７は、室内側レール４１５の室内側の面に沿って配置される室内側レールカバー部４１７ａと、基部４１１の室内側レール４１５よりも室内側の部分における下面に沿って配置される基部カバー部４１７ｂと、基部カバー部４１７ｂの室内側の端部から下側に延びて樹脂カバー支持部４１６に係止される被係止部４１７ｃと、被係止部の下端部から室内側に延びる室内側延設部４１７ｄと、を有している。
また、新設上枠４１には、見付け方向の両端部にそれぞれに外部から新設上枠４１の内部に入り込んだ雨水などの水を排出する水抜き孔４１８が形成されている。水抜き孔４１８から流れ出た水は、新設縦枠４３，４４を伝わって新設下枠４２の下方へ排水される。
【００２８】
上枠アタッチメント５１は、第１部材７１と第２部材７２とを有している。第１部材７１と第２部材７２とは、連結された状態で既設上枠２１に固定されている。第１部材７１と第２部材７２とは、見込み方向の所定の範囲において連結する位置を調整可能に構成されている。第１部材７１と第２部材７２とが連結される位置を調整することにより、既設上枠２１の形状にかかわらず上枠アタッチメント５１を既設上枠２１に固定可能な形状とすることができる。本実施形態では、１つの第１部材７１および１つの第２部材７２の組が既設上枠２１に見付け方向に間隔をあけて複数固定されている。
【００２９】
第１部材７１は、第２部材７２と連結される第１連結部７１１および第２連結部７１２と、既設上枠２１の基部２１１に固定される第１固定部７１３と、第１連結部７１１と第２連結部７１２とを接続する第１接続部７１４と、第２連結部７１２と第１固定部７１３とを接続する第２接続部７１５と、を有している。これらの第１連結部７１１、第２連結部７１２、第１固定部７１３、第１接続部７１４および第２接続部７１５は、金属板などを加工して一体に形成されている。
【００３０】
第１連結部７１１、第２連結部７１２および第１固定部７１３は、それぞれ略平板状に形成され、板面が水平面となる向きに配置されている。第１連結部７１１は、第２連結部７１２よりも室外側かつ上側に配置され、第１連結部７１１の室内側の縁部が第２連結部７１２の室外側の縁部の鉛直方向上側に配置されている。第２連結部７１２は、第１固定部７１３の鉛直方向下側に配置されている。
第１接続部７１４および第２接続部７１５は、それぞれ略平板状に形成され、板面が見込み方向を向く略鉛直面となる向きに配置されている。第１接続部７１４は、上端部が第１連結部７１１の室内側の縁部と接続され、下端部が第２連結部７１２の室外側の縁部と接続されている。第２接続部７１５は、上端部が第１固定部７１３の室外側の縁部と接続され、下端部が第２連結部７１２の見込み方向の中間部に接続されている。
【００３１】
第１接続部７１４は、第２接続部７１５よりも室外側に配置され、第１接続部７１４と第２接続部７１５との間には、既設上枠２１の室内側レール２１５の下部側が挿入される室内側レール挿入部７１６が形成されている。室内側レール挿入部７１６に既設上枠２１の室内側レール２１５が挿入されると、室内側レール２１５の下端部が第２連結部７１２の上面と当接するように構成されている。
第１連結部７１１には、見込み方向に間隔をあけて配置された２つのネジ孔７１１ａが見付け方向に間隔をあけて複数形成されている。第２連結部７１２には、ネジ孔７１２ａが見付け方向に間隔をあけて複数形成されている。第１固定部７１３には、ネジ孔７１３ａが見付け方向に間隔をあけて複数形成されている。
【００３２】
第２部材７２は、第１部材７１と連結される第３連結部７２１および第４連結部７２２と、第３連結部７２１と接続され既設上枠２１の室外側レール２１４に固定される第２固定部７２３と、新設上枠４１が固定される第３固定部７２４および第４固定部７２５と、第２固定部７２３と第３固定部７２４とを接続する第３接続部７２６と、第３固定部７２４と第４連結部７２２とを接続する第４接続部７２７と、第４連結部７２２と第４固定部７２５とを接続する第５接続部７２８と、第２固定部７２３と接続され室外側レール２１４の下端部が当接する室外側レール当接部７２９と、を有している。これらの第３連結部７２１、第４連結部７２２、第２固定部７２３、第３固定部７２４、第４固定部７２５、第３接続部７２６、第４接続部７２７、第５接続部７２８および室外側レール当接部７２９は、金属板などを加工して一体に形成されている。
【００３３】
第３連結部７２１および第４連結部７２２は、平板状に形成され板面が水平面となるように配置される。第３連結部７２１には、見込み方向に延びる長孔７２１ａが見付け方向に間隔をあけて複数形成されている。
第３連結部７２１は、第１連結部７１１と連結されるように構成されている。第１連結部７１１と第３連結部７２１とは、第１連結部７１１のネジ孔７１１ａおよび第３連結部７２１の長孔７２１ａに挿入されたネジ７０ａによって互いの位置を見込み方向に調整した状態で連結可能に構成されている。このとき、第１連結部７１１には見込み方向に間隔をあけて２つのネジ孔７１１ａが形成されているため、２つのネジ孔７１１ａのどちらにネジを挿入するかによっても第１連結部７１１と第３連結部７２１との連結位置を調整することができる。
【００３４】
第４連結部７２２は、第２連結部７１２と連結されるように構成されている。第４連結部７２２には見込み方向に延びる長孔７２２ａが見付け方向に間隔をあけて複数形成されている。第２連結部７１２と第４連結部７２２とは、第２連結部７１２のネジ孔７１２ａおよび第４連結部７２２の長孔７２２ａに挿入されたネジ７０ｂによって互いの位置を見込み方向に調整した状態で連結可能に構成されている。
なお、第１連結部７１１と第２連結部７１２とは一体であり、第３連結部７２１と第４連結部７２２とは一体であるため、第１連結部７１１と第３連結部７２１との位置調整、および第２連結部７１２と第４連結部７２２との位置調整は、同時に行うことになる。
【００３５】
第２固定部７２３は、第３連結部７２１の室外側の縁部よりも室内側に向かった位置から上側から下側に向かって漸次室外側に向かう傾斜した平板状に形成されている。第２固定部７２３には、見付け方向に間隔をあけて複数のネジ孔７２３ａが形成されている。このネジ孔７２３ａには、第２固定部７２３を既設上枠２１の室外側レール２１４を固定するためのネジ７０ｃが挿通される。
第３固定部７２４および第４固定部７２５は、略平板状に形成され板面が水平面となる向きに略同じ高さに配置されている。第３固定部７２４は、第４固定部７２５よりも室内側に配置されている。
【００３６】
第３接続部７２６は、第２固定部７２３の下縁部と第３固定部７２４の室外側の縁部とを接続している。第２固定部７２３は、第３固定部７２４よりも室外側かつ上側に配置されている。このため、第３接続部７２６は、室外側から室内側に向かって漸次下側に向かって傾斜した平板状に形成されている。
第４接続部７２７は、第３固定部７２４の室内側の縁部と第４連結部７２２の室外側の縁部とを接続している、第３固定部７２４は、第４連結部７２２よりも室外側かつ下側に配置されている。このため、第４接続部７２７は、室外側から室内側に向かって漸次上側に向かって傾斜した平板状に形成されている。
第５接続部７２８は、第４連結部７２２の室内側の縁部と第４固定部７２５の室外側の縁部とを接続している、第４連結部は、第４固定部７２５よりも室外側かつ上側に配置されている。このため、第５接続部７２８は、室外側から室内側に向かって漸次下側に向かって傾斜した平板状に形成されている。
室外側レール当接部７２９は、第２固定部７２３の下縁部から室外側に突出している。
【００３７】
ここで、上枠アタッチメント５１を既設上枠２１に固定する方法について説明する（アタッチメント固定工程）。
まず、第１部材７１の第１連結部７１１と第２部材７２の第３連結部７２１とを連結し、第１部材７１の第２連結部７１２と第２部材７２の第４連結部７２２とを連結して第１部材７１と第２部材７２とを連結する。このとき、連結された第１部材７１および第２部材７２の室内側レール挿入部７１６に既設上枠２１の室内側レールが挿入可能であるとともに、室外側レール当接部７２９に室外側レール２１４の下端部が当接可能となるように、第１部材７１と第２部材７２との見込み方向の位置を調整する。
【００３８】
第１部材７１と第２部材７２とを連結したら、室内側レール挿入部７１６に既設上枠２１の室内側レール２１５を挿入し、室外側レール当接部７２９に室外側レール２１４の下端部が当接させる。これにより、第１部材７１の第１連結部７１１および第１接続部７１４、第２部材７２の第３連結部７２１および第２固定部７２３が既設上枠２１の室内側レール２１５と室外側レール２１４との間に配置される。
この状態で、第１固定部７１３を既設上枠２１の基部２１１をネジ７０ｄで固定し、第２固定部７２３を室外側レール２１４にビスで固定することで上枠アタッチメント５１が既設上枠２１に固定される。本実施形態では、第２固定部７２３が傾斜していることにより、室内側から傾斜した向きで第２固定部７２３を室外側レール２１４に固定することができる。
【００３９】
続いて、既設上枠２１に固定された上枠アタッチメント５１に新設上枠４１を固定する方法について説明する（新設枠固定工程）。
まず、新設上枠４１を上枠アタッチメント５１の下側に配置し、新設上枠４１の基部４１１を上枠アタッチメントの第２部材７２の第３固定部７２４および第４固定部７２５にネジ７０ｅで固定する。このとき、新設上枠４１の基部４１１のうち第４固定部７２５に固定される部分は樹脂カバー４１７の基部カバー部４１７ｂが設けられているため、樹脂カバー４１７も基部４１１とともに第４固定部７２５にネジ７０ｅで固定される。
これにより、新設上枠４１が上枠アタッチメント５１を介して既設上枠２１に固定される。
【００４０】
なお、新設枠４は、新設上枠４１、新設下枠４２および新設縦枠４３，４４が連結された矩形枠の状態でけんどん式に既設上枠２１の内周側に配置される。このため、新設枠４が既設枠２の内周側に配置されると、新設上枠４１と上枠アタッチメント５１との間には、隙間が生じることになる。このため、本実施形態では、新設上枠４１と上枠アタッチメント５１との隙間に、スペーサ９が配置されている。具体的には、新設上枠４１の基部４１１と上枠アタッチメント５１の第３固定部７２４および第４固定部７２５との間にスペーサ９が配置されている。
【００４１】
図３（ａ）から（ｄ）に示すように、スペーサ９は、上下方向に対向するように重ねて配置される第１スペーサ板９１と、第２スペーサ板９２と、を有している。第１スペーサ板９１および第２スペーサ板９２は、互いに対向する面が平行となる傾斜面に形成されている。この傾斜面は、見付け方向の一方側から他方側に向かって漸次下側に向かう傾斜面となっている。第１スペーサ板９１と第２スペーサ板９２とを重ねた状態で見付け方向に相対移動させると、第１スペーサ板９１と第２スペーサ板９２とを重ねた厚さを調整することができる。
例えば、第１スペーサ板９１が第２スペーサ板９２の上側に配置され、第１スペーサ板９１の下面と第２スペーサ板９２の上側が傾斜面である場合、図３（ｃ）に示すように、第１スペーサ板９１を第２スペーサ板９２に対して見付け方向の一方側に移動した場合の方が、図３（ｄ）のように第１スペーサ板９１と第２スペーサ板９２とを重ねて配置した場合よりも、第１スペーサ板９１と第２スペーサ板９２とを重ねた厚さを大きくすることができる。
【００４２】
また、第１スペーサ板９１および第２スペーサ板９２は、それぞれの傾斜面に見込み方向に延びる複数の溝が傾斜方向に沿って形成されていて、傾斜面がギザギザ面となっている。これにより、第１スペーサ板９１および第２スペーサ板９２は、２枚合わせた厚さが所定の厚さとなるように重ねあわせると、ギザギザ面が嵌合することにより傾斜面どうしが傾斜方向に滑ることがなく所定の厚さとなるように重なった状態を維持することができる。そして、所定の厚さとなったスペーサ９を新設上枠４１の基部４１１と上枠アタッチメント５１の第３固定部７２４および第４固定部７２５との間に配置する。
【００４３】
また、図２に示すように、本実施形態では、新設上枠４１の室内側にアングルカバー８１と補助部材８２と、が設けられている。アングルカバー８１は、見付け方向に延在する部材で、下端部が樹脂カバーの室内側延設部４１７ｄに固定され、上端部が額縁３に固定された補助部材８２に係止されている。
アングルカバー８１は、下部側に配置された中空状の中空部８１１と、中空部８１１の上側に接続された平板状の平板部８１２と平板部８１２から室外側に突出する複数の突起部８１３とを有している。アングルカバー８１は、樹脂などで形成されている。図４に示すように、アングルカバー８１は、平板部８１２が上下方向に長く形成され、平板部８１２の高さ方向全体にわたって複数の突起部８１３が間隔をあけて形成されている。平板部８１２は、樹脂カバー４１７の室内側延設部４１７ｄと額縁３との寸法に合わせて切断されるように構成されている。本実施形態では、平板部８１２は、切断しやすいように突起部８１３それぞれの基端部付近に切り込みが形成されている。
【００４４】
補助部材８２は、見付け方向に延在する部材で、額縁の下面に当接して固定される平板状の額縁当接部８２１と、額縁当接部８２１の室外側の端部から下側に突出する第１突出部８２２と、額縁当接部８２１の見込み方向の中間部から下側に突出する第２突出部８２３と、を有している。第１突出部８２２と第２突出部８２３との間には、アングルカバー８１の平板部８１２および突起部８１３が配置されるように構成されている。第１突出部８２２には、第２突出部８２３側に突出する爪部８２４が形成されている。爪部８２４は、第１突出部８２２と第２突出部８２３との間に配置された平板部８１２に設けられた隣り合う突起部８１３の間または、突起部８１３と中空部８１１との間に入り込むように構成されている。これにより、補助部材８２がアングルカバー８１の上端部側を係止することができる。
【００４５】
上枠気密材６１は、既設上枠２１のアングル部から額縁３にわたるように設けられた第１気密材６１１と、新設上枠４１の樹脂カバー支持部４１６から額縁３にわたるように設けられた第２気密材６１２と、を有している。
第１気密材６１１および第２気密材６１２は、例えば、アルミ箔とブチルゴム系接着剤とが積層された乾式構造の気密テープなどが用いられている。第１気密材６１１および第２気密材６１２は、既設上枠２１、新設上枠４１および額縁３の見付け方向全体にわたって設けられていて、第２気密材６１２のうちの額縁３に設けられる部分が第１気密材６１１のうちの額縁３に設けられた部分に積層されるように貼りつけられている。
【００４６】
ここで、上枠気密材６１を設置する方法について説明する（気密材設置工程）。
まず、既設上枠２１の内周側に上枠アタッチメント５１および新設上枠４１を設置する前に既設上枠２１および額縁３の見付け方向全体にわたって、既設上枠２１のアングル部２１６から額縁３にわたるように第１気密材６１１を設ける（第１気密材設置工程）。
続いて、上枠アタッチメント５１および新設上枠４１を設置した後に、新設上枠４１のおよび額縁３の見付け方向全体にわたって、新設上枠４１の樹脂カバー支持部４１６か額縁３にわたるとともに第１気密材６１１と重なるように第２気密材６１２を設ける（第２気密材設置工程）。
このようにして上枠気密材６１が設置される。上枠気密材６１が設置されると、アングルカバー８１および補助部材８２を設置することができる。
【００４７】
既設下枠２２は、開口部１２の下縁部の直上に配置される基部２２１と、基部２２１から下側に突出し壁部１１に室外側から固定された固定部２２２と、基部２２１の室外側の端部から上下に延びる網戸レール２２３と、基部２２１の網戸レール２２３よりも室内側となる位置から上側に延びる室外側レール２２４と、基部２２１の室外側レール２２４よりも室内側となる位置から上側に延びる室内側レール２２５と、基部２２１の室内側の端部に連結されたアングル部２２６と、を有している。
【００４８】
基部２２１は、上面が室外側が室内側よりも下側となる階段状に形成されている。
固定部２２２は、略平板状に形成され板面が見込み方向を向く鉛直面となる向きに配置されている。
網戸レール２２３は、既設サッシの網戸（不図示）を支持していた部材である。室外側レール２２４は、既設サッシの室外側サッシ障子（不図示）を支持していた部材である。室内側レール２２５は、既設サッシの室内側サッシ障子（不図示）を支持していた部材である。網戸レール２２３、室外側レール２２４および室内側レール２２５は、それぞれ略平板状に形成され、板面が見込み方向を向く略鉛直面となる向きに配置されている。
【００４９】
アングル部２２６は、基部２２１の室内側の縁部から上側に延びる第１アングル部２２７と、第１アングル部２２７の上縁部から室内側に延びる第２アングル部２１８と、を有している。第１アングル部２２７は、額縁３の室外側の端面と当接またはわずかな隙間をあけて対向している。第２アングル部２２８は、額縁３の上面の室外側の端部近傍と当接またはわずかな隙間をあけて対向をしている。
【００５０】
新設下枠４２は、既設下枠２２に固定された下枠アタッチメント５２の直上に配置される基部４２１と、基部４２１の室外側の端部から下側に突出する既設網戸レール当接部４２２と、基部４２１の室外側の端部近傍から上側に突出する網戸レール４２３と、基部４２１の既設網戸レール当接部４２２よりも室内側から上側に延びる室外側レール４２４と、基部４２１の室外側レール４２４よりも室内側から上側に延びる室内側レール４２５と、基部４２１の室内側の端部近傍に設けられた樹脂カバー係止部４２６と、樹脂カバー係止部４２６に係止される樹脂カバー４２７と、を有している。
【００５１】
基部４２１は、下面が室外側が室内側よりも下側となる階段状に形成されている。基部４２１には、室外側レール４２４と室内側レール４２５との間にネジ孔４２１ａが形成されている。
既設網戸レール当接部４２２は、平板状に形成され、板面が見込み方向を向く鉛直面となる向きに配置されている。既設網戸レール当接部４２２には、気密材４２２ａを支持する気密材支持部４２２ｂが設けられている。既設網戸レール当接部４２２は、気密材４２２ａを介して既設下枠２２の網戸レール２２３の室外側の面と当接している。
気密材４２２ａは、見付け方向に延在していて、見付け方向の両端部が、新設縦枠４３，４４の基部４３１（図６参照）に当接している。気密材支持部４２２ｂは既設網戸レール当接部４２２に対して高さ方向に複数形成されている。このため、既設下枠２２の網戸レール２２３の下端部近傍に気密材４２２ａが当接するように気密材４２２ａが支持される気密材支持部４２２ｂを選択することができる。なお、既設網戸レール当接部４２２のうちの気密材４２２ａより下側の部分を切除してもよい。
【００５２】
網戸レール４２３は、新設サッシの網戸（不図示）を支持する部材である。室外側レール４２４は、既設サッシの室外側サッシ障子（不図示）を支持する部材である。室内側レール４２５は、既設サッシの室内側サッシ障子（不図示）を支持する部材である。網戸レール４２３、室外側レール４２４および室内側レール４２５は、それぞれ略平板状に形成され、板面が見込み方向を向く略鉛直面となる向きに配置されている。
樹脂カバー係止部４２６は、略平板状に形成され、板面が見込み方向を向く略鉛直面となる向きに配置されている。
樹脂カバー４２７は、基部４２１の室内側レール４２５よりも室内側の部分における上面に沿って配置される基部カバー部４２７ａと、基部カバー部４２７ａの室内側の端部から上側に延びて樹脂カバー係止部４２６に係止される被係止部４２７ｂと、被係止部４２７ｂの上端部から室内側に延びる室内側延設部４２７ｃと、を有している。
【００５３】
下枠アタッチメント５２は、互いに連結される第１部材７３と第２部材７４と、を有している。第１部材７３と第２部材７４とは、見込み方向の所定の範囲において連結する位置を調整可能に構成されている。第１部材７３と第２部材７４とが連結される位置を調整することにより、既設下枠２２の形状にかかわらず下枠アタッチメント５２を既設下枠２２に固定可能な形状とすることができる。
【００５４】
第１部材７３は、第２部材７４と連結される第１連結部７３１と、既設下枠２２に固定される第１固定部７３２と、を有している。第１連結部７３１と第１固定部７３２とは金属板などを加工して一体に形成されている。
第１連結部７３１は、略平板状に形成され板面が水平面となる向きで配置されている。第１固定部７３２は、略平板状に形成され、板面が見込み方向を向く鉛直面となる向きに配置されている。第１部材７３は、第１連結部７３１の室外側の縁部が第１固定部７３２の上縁部と接続されていて、見込み方向に直交する断面形状が略Ｌ字形状に形成されている。第１連結部７３１と第１固定部７３２とが接続される角部には、既設下枠２２の室内側レール２２５の上端部が当接するように構成されている。第１固定部７３２は、既設下枠２２の室内側レール２２５の室外側の面と当接し、既設下枠２２の室内側レール２２５に固定されるように構成されている。
第１連結部７３１および第１固定部７３２にはそれぞれネジ孔７３１ａ，７３２ａが形成されている。
【００５５】
第２部材７４は、第１部材７３と連結されるとともに新設下枠４２が固定される第２連結部７４１と、既設下枠２２の室外側レール２２４の上端部と当接する室外側レール当接部７４２と、を有している。
第２連結部７４１は、平板状に形成され、板面が水平面となる向きで第１固定部７３２の上に配置される。第２連結部７４１には、見込み方向に延びる長孔７４１ａが形成されている。
室外側レール当接部７４２は、既設下枠２２の室外側レール２２４の上側に配置される。室外側レール当接部７４２には、ネジ７４２ａとネジ７４２ａに連結されて室外側レール２２４の上端部と直接当接する当接部材７４２ｂと、が設けられていて、ネジ７４２ａを調整することで当接部材７４２ｂの高さを調整可能に構成されている。
【００５６】
ここで、下枠アタッチメント５２を既設下枠２２に固定する方法について説明する（アタッチメント固定工程）。
まず、第１部材７３を既設下枠２２に固定する。このとき、第１部材７３の第１連結部７３１と第１固定部７３２との角部の下側に室内側レール２２５の上端部が当接した状態で第１部材７３を既設下枠２２に固定する。第１部材７３の第１固定部７３２に形成されたネジ孔７３２ａに挿通されたネジ７０ｆを既設下枠２２の室内側レール２２５に固定して、第１部材７３を既設下枠２２に固定する。
続いて、既設下枠２２に固定された第１部材７３に第２部材７４を固定する。室外側レール２２４の上端部に室外側レール当接部７４２の当接部材７４２ｂが当接するように第１部材７３に対する第２部材７４の見込み方向の位置を調整する。第１部材７３の第１連結部７３１の上に第２部材７４の第２連結部７４１を載置し、重なった第１連結部７３１のネジ孔７３１ａと第２連結部７４１の長孔７４１ａにネジ７０ｇを挿通して締結することで第２部材７４を第１部材７３に固定する。これにより下枠アタッチメント５２が既設下枠２２に固定される。
【００５７】
続いて、既設下枠２２に固定された下枠アタッチメント５２に新設下枠４２を固定する方法について説明する（新設枠固定工程）。
まず、新設下枠４２を下枠アタッチメント５２の上側に配置し、新設下枠４２の基部４２１を下枠アタッチメント５２の第２部材７４の第２連結部７４１に固定する。基部４２１に形成されたネジ孔４２１ａに挿通されたネジ７０ｈで基部４２１を第２連結部７４１に固定して、新設下枠４２を下枠アタッチメント５２に固定する。
このとき、新設下枠４２の既設網戸レール当接部４２２を既設下枠２２の網戸レール２２３に室外側から当接させて位置決めを行う。
【００５８】
本実施形態では、新設下枠４２の室内側にアングルカバー８３と補助部材８４と、が設けられている。アングルカバー８３および補助部材８４には、新設上枠４１の室内側に設けられるアングルカバー８１および補助部材８２と同様のものを採用し、向きを変えて設置している。アングルカバー８３は平板部８１２を全て切除し、中空部８１１のみとし、樹脂カバー４２７の室内側延設部４２７ｃに固定している。補助部材８４は第１突出部８２２を切除し、額縁当接部８２１のうちの第２突出部８２３よりも室外側の部分をアングルカバー８３の下側に配置している。
【００５９】
下枠気密材６２は、既設下枠２２のアングル部から額縁３にわたるように設けられた第１気密材６２１と、新設下枠４２の樹脂カバー係止部４２６から額縁３にわたるように設けられた第２気密材６２２と、を有している。
第１気密材６２１および第２気密材６２２は上枠気密材６１の第１気密材６１１および第２気密材６１２と同様に、例えば、アルミ箔とブチルゴム系接着剤とが積層された乾式構造の気密テープなどが用いられている。第１気密材６２１および第２気密材６２２は、既設下枠２２、新設下枠４２および額縁３の見付け方向全体にわたって設けられていて、第２気密材６２２のうちの額縁３に設けられる部分が第１気密材６２１のうちの額縁３に設けられた部分に積層されるように貼りつけられている。
【００６０】
ここで、下枠気密材６２を設置する方法について説明する（気密材設置工程）。
まず、既設下枠２２の内周側に下枠アタッチメント５２および新設下枠４２を設置する前に既設下枠２２および額縁３の見付け方向全体にわたって、既設下枠２２のアングル部２２６から額縁３にわたるように第１気密材６２１を設ける（第１気密材設置工程）。
続いて、下枠アタッチメント５２および新設下枠４２を設置した後に、新設下枠４２のおよび額縁３の見付け方向全体にわたって、新設下枠４２の樹脂カバー係止部４２６から額縁３にわたるとともに第１気密材６２１と重なるように第２気密材６２２を設ける（第２気密材設置工程）。
このようにして下枠気密材６２が設置される。下枠気密材６２が設置されると、アングルカバー８３および補助部材８４を設置することができる。
【００６１】
図１に示す一対の既設縦枠２３，２４は、それぞれ見付け方向に略対称となる形状に形成されている。このため室内側から見て右側となる見付け方向一方側の既設縦枠２３について説明し、他方側の既設縦枠２４については説明を省略する。また、一対の新設縦枠４３，４４および一対の縦枠アタッチメント５３，５４についても見付け方向一方側の新設縦枠４３，縦枠アタッチメント５３について説明し、他方側の新設縦枠４４および縦枠アタッチメント５４の説明を省略する。
【００６２】
図６に示すように、既設縦枠２３は、開口部１２の側縁部の内側に配置される基部２３１と、基部２３１から見付け方向一方側に突出し壁部１１に室外側から固定される固定部２３２と、基部２３１の室外側の端部よりやや室内側に向かった位置から見付け方向他方側に延びる第１ヒレ部２３３と、基部２３１の見込み方向の中間部から見付け方向の他方側に延びる第２ヒレ部２３４および第３ヒレ部２３５と、基部２３１の室内側の端部に連結されたアングル部と２３６と、を有している。第２ヒレ部２３４は第３ヒレ部２３５よりも室外側に配置されている。
【００６３】
基部２３１は、略平板状に形成され、板面が見付け方向を向く鉛直面となる向きに配置されている。
固定部２３２は、略平板状に形成され、板面が見込み方向を向く鉛直面となる向きに配置されている。
第１ヒレ部２３３、第２ヒレ部２３４および第３ヒレ部２３５は、それぞれ板面が見込み方向を向く鉛直面となる向きに配置されている。
アングル部２３６は、基部２３１の室内側の縁部から見付け方向他方側に延びる第１アングル部２３７と、第１アングル部２３７の見付け方向他方側の縁部から室内側に延びる第２アングル部２３８と、を有している。第１アングル部２３７は、額縁３の室外側の端面と当接またはわずかな隙間をあけて対向している。第２アングル部２３８は、額縁３の見付け方向他方側の面の室外側の端部近傍と当接またはわずかな隙間をあけて対向をしている。
【００６４】
新設縦枠４３は、既設縦枠２３に固定された縦枠アタッチメント５３の見付け方向他方側に配置される基部４３１と、基部４３１の室外側の縁部から見付け方向一方側に延びるカバー部４３２と、基部４３１の室外側の縁部近傍から見付け方向他方側に延びる第１ヒレ部４３３と、基部４３１の見込み方向の中間部から見付け方向他方側に延びる第２ヒレ部４３４と、基部４３１の室内側の縁部から見付け方向他方側にのびる樹脂カバー係止部４３５と、樹脂カバー係止部４３５に係止される樹脂カバー４３６と、を有している。
【００６５】
基部４３１は、略平板状に形成され、板面が見付け方向を向く鉛直面となる向きに配置されている。基部４３１には、第１ヒレ部４３３と第２ヒレ部４３４との間に高さ方向に間隔をあけてネジ孔４３１ａが複数形成されている。また、基部４３１には、第２ヒレ部４３４と樹脂カバー係止部４３５との間に高さ方向に間隔をあけてネジ孔４３１ｂが複数形成されている。
カバー部４３２は、略平板状に形成され、板面が見込み方向を向く鉛直面となる向きに配置されている。カバー部４３２の室内側の面には、端部気密材４３７ａと通し気密材４３７ｂと、が設けられている。端部気密材４３７ａは、カバー部４３２の上端部近傍および下端部近傍にそれぞれ設けられている。通し気密材４３７ｂは、カバー部４３２の高さ方向全長にわたって設けられている。端部気密材４３７ａは、通し気密材４３７ｂよりも見付け方向の他方側に配置されている。端部気密材４３７ａは、新設上枠４１に設けられた上側気密材４１２ｅおよび下側気密材４１２ｆと通し気密材４３７ｂとの隙間に配置されている。また、端部気密材４３７ａは、新設下枠４２に設けられた気密材４２２ａと通し気密材４３７ｂとの隙間に配置されている。これにより、新設上枠４１に設けられた上側気密材４１２ｅおよび下側気密材４１２ｆ、新設下枠４２に設けられた気密材４２２ａ、新設縦枠４３，４４に設けられた端部気密材４３７ａおよび通し気密材４３７ｂによって新設枠４と既設枠２との間の気密が保持されている。
【００６６】
第１ヒレ部４３３、第２ヒレ部４３４および樹脂カバー係止部４３５は、それぞれ板面が見込み方向を向く鉛直面となる向きに配置されている。
樹脂カバー４３６は、樹脂カバー係止部４３５に係止される被係止部４３６ａと、被係止部４３６ａから室内側に延びる室内側延設部４３６ｂと、を有している。
【００６７】
縦枠アタッチメント５３は、第１部材７５および第２部材７６を有している。第１部材７５と第２部材７６とは、連結された状態で既設縦枠２３に固定されている。第１部材７５と第２部材７６とは、見込み方向の所定の範囲において連結する位置を調整可能に構成されている。第１部材７５と第２部材７６とが連結される位置を調整することにより、既設縦枠２３の形状にかかわらず縦枠アタッチメント５３を既設縦枠２３に固定可能な形状とすることができる。
【００６８】
第１部材７５は、第２部材７６と連結される第１連結部７５１と、既設縦枠２３に固定される第１固定部７５２と、第１連結部７５１と第１固定部７５２とを接続する第１接続部７５３とを有している。これらの第１連結部７５１、第１固定部７５２および第１接続部７５３は、金属板などを加工して一体に形成されている。
第１連結部７５１と第１固定部７５２とはそれぞれ板面が見付け方向を向く向きで見付け方向に間隔をあけ、第１連結部７５１が第１固定部７５２よりも室内側に配置されている。第１接続部７５３は見込み方向を向く向きに配置され、見付け方向一方側の縁部が第１固定部７５２の室外側の縁部と接続され、見付け方向他方側の縁部が第１連結部７５１の室内側の縁部と接続されている。
【００６９】
第１連結部７５１は、平板状に形成され板面が水平面となるように配置される。第１連結部７５１には、ネジ孔７５１ａが高さ方向に間隔をあけて複数形成されている。
第１固定部７５２は、平板状に形成され板面が水平面となるように配置される。第１固定部７５２は第１連結部７５１の間隔をあけた見付け方向一方側における室内側に配置されている。第１固定部７５２には、ネジ孔７５２ａが高さ方向に間隔をあけて複数形成されている。
【００７０】
第２部材７６は、断面形状が略Ｌ字形状の型材で上下方向に延在する向きに配置されている。第２部材７６は、第１連結部７５１と連結されるとともに新設縦枠４３が固定される第２連結部７６１と、第２連結部７６１よりも室外側に設けられて既設縦枠２３に固定される第２固定部７６２と、を有している。
第２連結部７６１には、見込み方向に延びる長孔７６１ａが高さ方向に間隔をあけて複数形成されている。第２固定部７６２は、室外側の端部に板面が見込み方向を向く鉛直面となる鉛直板部７６２ａを有している。
【００７１】
ここで、縦枠アタッチメント５３を既設縦枠２３に固定する方法について説明する（アタッチメント固定工程）。
まず、第１部材７５の第１連結部７５１と第２部材７６の第２連結部７６１とを連結し、第１部材７５と第２部材７６とを連結する。第１部材７５の第１連結部７５１と第２部材７６の第２連結部７６１とを重ね、重なった第１連結部７５１のネジ孔７５１ａと第２連結部７６１の長孔７６１ａにネジ７０ｊを挿通して締結して、第１部材７５と第２部材７６とを連結する。このとき、第２連結部７６１に対する第１連結部７５１の見込み方向の位置を調整して縦枠アタッチメント５３を既設縦枠２３に固定できる形状とする。具体的には、第１部材７５の第１固定部７５２室内側の縁部が既設縦枠２３の第１アングル部２３７と当接し、第２部材７６の第２固定部７６２の鉛直板部７６２ａにおける室内の端面が既設縦枠２３の第１ヒレ部２３３の室外側の面と当接する形状とする。
そして、第１部材７５の第１固定部７５２に挿通されたネジ７０ｉを既設縦枠２３の基部２３１に固定するとともに、第２部材７６の第２固定部７６２を既設縦枠２３にネジ７０ｍで固定する。これにより、縦枠アタッチメント５３が既設縦枠２３に固定される。
なお、第１部材７５を既設縦枠２３に固定した後に、第２部材７６を第１部材７５に固定して、縦枠アタッチメント５３を既設縦枠２３に固定してもよい。
【００７２】
続いて、新設縦枠４３を縦枠アタッチメント５３に固定する方法について説明する（新設枠固定工程）。
新設縦枠４３を縦枠アタッチメント５３の見付け方向他方側に配置し、新設縦枠４３の基部４３１に形成されたネジ孔４３１ａ，４３１ｂに挿通されたネジ７０ｋ，７０ｌを縦枠アタッチメント５３の第２部材７６の第２連結部７６１に固定する。これにより、新設縦枠４３が縦枠アタッチメント５３に固定される。
【００７３】
本実施形態では、新設縦枠４３の室内側にアングルカバー８５と補助部材８６と、が設けられている。アングルカバー８５は、新設上枠４１および新設下枠４２の室内側に設けられるアングルカバー８１,８３と比べて中空部８５１が異なる形状に形成されている。アングルカバー８５は、中空部８５１と接続された平板部８５２と、平板部８５２に設けられた突出部８５３と、を有している。アングルカバー８５についても、平板部８５２を切断して大きさを調整するように構成されている。
なお、図６では、アングルカバー８５と樹脂カバー４６３の室内側延設部４３６ｂとはネジなどで固定されていないが、ネジなどで固定されていてもよい。
【００７４】
また、本実施形態では、縦枠アタッチメント５３の第２部材７６と新設縦枠４３の基部４３１との間に、上枠アタッチメント５１と新設上枠４１との間に設けられていたスペーサ９と同様のスペーサ９が設けられていて、新設縦枠４３のがたつきが防止されている。
【００７５】
縦枠気密材６３は、既設縦枠２３のアングル部から額縁３にわたるように設けられた第１気密材６３１と、新設縦枠４３の樹脂カバー係止部４３５から額縁３にわたるように設けられた第２気密材６３２と、を有している。
第１気密材６３１および第２気密材６３２は上枠気密材６１の第１気密材６１１および第２気密材６１２と同様に、例えば、アルミ箔とブチルゴム系接着剤とが積層された乾式構造の気密テープなどが用いられている。第１気密材６３１および第２気密材６３２は、既設縦枠２３、新設縦枠４３および額縁３の高さ方向全体にわたって設けられていて、第２気密材６３２のうちの額縁３に設けられる部分が第１気密材６３１のうちの額縁３に設けられた部分に積層されるように貼りつけられている。
【００７６】
ここで、縦枠気密材６３を設置する方法について説明する（気密材設置工程）。
まず、既設縦枠２３の内周側に縦枠アタッチメント５３および新設縦枠４３を設置する前に既設縦枠２３および額縁３の高さ方向全体にわたって、既設縦枠２３のアングル部２３６から額縁３にわたるように第１気密材６３１を設ける（第１気密材設置工程）。
続いて、縦枠アタッチメント５３および新設縦枠４３を設置した後に、新設縦枠４３のおよび額縁３の見付け方向全体にわたって、新設縦枠４３の樹脂カバー係止部４３５から額縁３にわたるとともに第１気密材６３１と重なるように第２気密材６３２を設ける（第２気密材設置工程）。
このようにして縦枠気密材６３が設置される。縦枠気密材６３が設置されると、アングルカバー８５および補助部材８６を設置することができる。
【００７７】
次に、上述した改装用サッシ１および改装用サッシの施工方法の作用・効果について図面を用いて説明する。
上述した本実施形態による改装用サッシ１では、アタッチメント５が既設枠２に固定可能な形状に調整可能であることにより、既設枠２の形状にかかわらず、アタッチメント５を既設枠２に固定することができる。具体的には、上枠アタッチメント５１、下枠アタッチメント５２および縦枠アタッチメント５３，５４は、それぞれ第１部材および第２部材を有し、第１部材と第２部材とが互いに見付け方向に調整された位置で連結されるため、既設枠２に固定可能な形状とすることができる。
そして、既設枠２に固定されたアタッチメント５に新設枠４を固定する構成であるため、既設枠２や躯体の形状にかかわらずアタッチメント５を介して新設枠４を既設枠２に固定することができる。
また、アタッチメント５は既設枠２に固定されるため、新設枠４を設置するために躯体にビスなどの固定具を挿通させることを少なくすることができる。
【００７８】
また、既設枠２へのアタッチメントの固定、およびアタッチメント５への新設枠４の固定を室内側から行うことが可能であることにより、新設枠４設置を室内側から行うことができる。このため、新設枠４を設置する際に室外側から行う作業を少なく、または無くすことができる。
また、下枠アタッチメント５２は、既設下枠２２に対する高さ方向の位置を調整可能であることにより、新設下枠４２が取り付けられる高さに合せて下枠アタッチメント５２の高さを調整することができる。これにより、新設枠４を容易に取り付けることができる。
【００７９】
また、既設枠２と新設枠４との隙間を塞ぐ気密材６をさらに有し、気密材６は、新設枠４の室内側に設けられていることにより、気密材６の設置を室内側から行うことができる。
また、既設枠２の室内側には額縁３が設けられていて、新設枠４と額縁３との隙間を覆うカバー部材（アングルカバー８１，８３，８５および補助部材８２，８４，８６）が設けられていることにより、室内側からの見栄えを良くすることができる。
【００８０】
また、新設枠４は、既設枠２の室外側の端面と当接する端面当接部材（既設網戸レール当接部４１２，４２２）を有し、端面当接部材が既設枠２の室外側の端面（網戸レール２１３，４１３の端面）と当接すると新設枠４が正位置に配置されていることにより、新設枠４の位置決めを容易に行うことができる。
【００８１】
以上、本発明による改装用サッシ１および改装用サッシ１の施工方法の実施形態について説明したが、本発明は上記の実施形態に限定されるものではなく、その趣旨を逸脱しない範囲で適宜変更可能である。
例えば、上記の実施形態では、既設枠２にシャッター枠や雨戸枠が取り付けられていないが、取り付けられていてもよい。図８に示すように、既設枠２にシャッター枠２５や雨戸枠が取り付けられている場合に設けられる改装用サッシ１Ａでは、新設縦枠４３にカバー部４３２を設けず、新設縦枠４３と既設縦枠２３との隙間を塞ぐ塞ぎ材１０を設けてもよい。
塞ぎ材１０は、新設縦枠４３の高さ方向全体にわたって延在している。塞ぎ材１０には、室外側の面に、カバー部４３２の室外側の面に設けられていた端部気密材４３７ａおよび通し気密材４３７ｂ（図６参照）と同様の端部気密材１０１ａおよび通し気密材１０１ｂが設けられている。端部気密材１０１ａは、塞ぎ材１０の上端部近傍および下端部近傍にそれぞれ設けられている。通し気密材１０１ｂは、塞ぎ材１０の高さ方向全長にわたって設けられている。端部気密材１０１ａは、通し気密材１０１ｂよりも見付け方向の他方側に配置されている。端部気密材１０１ａａは、新設上枠４１に設けられた上側気密材４１２ｅおよび下側気密材４１２ｆと通し気密材１０１ｂとの隙間に配置されている。
また、端部気密材１０１ａは、新設下枠４２に設けられた気密材４２２ａと通し気密材１０１ｂとの隙間に配置されている。これにより、新設上枠４１に設けられた上側気密材４１２ｅおよび下側気密材４１２ｆ、新設下枠４２に設けられた気密材４２２ａ、新設縦枠４３，４４に設けられた端部気密材１０１ａおよび通し気密材１０１ｂによって新設枠４と既設枠２との間の気密が保持されている。
【００８２】
また、上記の実施形態では、既設枠２の室内側に額縁３が設けられているが、既設枠２の室内側に額縁３が設けられていなくてもよい。図９から図１１に示すように、既設枠２の室内側に額縁３が設けられていない場合に設置される改装用サッシ１Ｂでは、アングルカバー８１，８３，８５が躯体１４まで延びて、補助部材８２，８４，８６が躯体１４に固定されていてもよい。
また、既設枠２の室内側に額縁３が設けられている場合などで、アングルカバー８１，８３，８５の平板部の多くが切断されてアングルカバー８１，８３，８５が小さい場合は、補助部材８２，８４，８６を設けずにアングルカバー８１，８３，８５のみが設けられていてもよい。
なお、アングルカバー８１，８３，８５および補助部材８２，８４，８６の形状は上記以外であってもよく、アングルカバー８１，８３，８５および補助部材８２，８４，８６が設けられていなくてもよい。
また、上記の実施形態では、気密材６は乾式構造であるが、湿式構造であってもよい。気密材６の設置方法についても上記以外であってもよい。
【００８３】
また、上記の実施形態では、既設枠２へのアタッチメントの固定、およびアタッチメント５への新設枠４の固定を室内側から行っているが、既設枠２へのアタッチメントの固定、およびアタッチメント５への新設枠４の固定を室外側から行ってもよい。
また、上記の実施形態では、下枠アタッチメント５２は、既設下枠２２に対する高さ方向の位置を調整可能に構成されているが、既設下枠２２に対する高さ方向の位置を調整しなくても既設下枠２２に固定可能に構成されていてもよい。
【００８４】
また、上記の実施形態では、気密材６は、新設枠４の室内側に設けられているが、新設枠４の室外側に設けられていてもよい。
また、上記の実施形態では、新設枠４は、既設枠２の室外側の端面と当接する端面当接部材（既設網戸レール当接部４１２，４２２）を有し、端面当接部材が既設枠２の室外側の端面（網戸レール２１３，４１３の端面）と当接すると新設枠４が正位置に配置されて新設枠４の位置決めをできるように構成されているが、新設枠４の位置決めは上記以外の方法で行われてもよい。また、端面当接部材が設けられていなくてもよい。
【符号の説明】
【００８５】
１，１Ａ，１Ｂ  改装用サッシ
２  既設枠
３  額縁
４  新設枠
５  アタッチメント
６  気密材
１１  壁部
１２  開口部
２１  既設上枠
２２  既設下枠
２３，２４  既設縦枠
８１，８３，８５  アングルカバー
８２，８４，８６  補助部材
４１２，４２２  既設網戸レール当接部（端面当接部材）
【図１】
2018025052.tif 000003
【図２】
2018025052.tif 000004
【図３】
2018025052.tif 000005
【図４】
2018025052.tif 000006
【図５】
2018025052.tif 000007
【図６】
2018025052.tif 000008
【図７】
2018025052.tif 000009
【図８】
2018025052.tif 000010
【図９】
2018025052.tif 000011
【図１０】
2018025052.tif 000012
【図１１】
2018025052.tif 000013